(57)【要約】【課題】空間を仕切る間仕切りパネルの意匠性を高めて、美しく、かつ、高級感のあるものに構成する。【解決手段】間仕切りパネル４を、表裏一対の面板６、７を備えた主パネル体８と、前記主パネル体８の一方の面に沿って並設され、高い意匠を備えた、例えばガラス材で構成される副パネル体９と、これら各パネル体８、９の側縁部をそれぞれ支持する主、副支持部１０ｇ、１１ｇ、１２ｆ、１３ｆ、１０ｄ、１１ｄ、１２ｃ、１３ｃを備えた枠体Ｆとを用いて構成する。【選択図】図４
2008138377.tif 000002
【特許請求の範囲】
【請求項１】
空間を仕切る間仕切りパネルであって、間仕切りパネルは、表裏一対の面板を備えた主パネル体と、前記主パネル体の一方の面に沿って並設され高い意匠を備えた副パネル体と、これら各パネル体の側縁部をそれぞれ支持する主、副支持部を備えた枠体とにより構成されている間仕切りパネル。
【請求項２】
主支持部は、主パネル体の板厚面に突き当てられて固定される第一突き当て片と、主パネル体の少なくとも他方の面板が他方側から突き当てられる第二突き当て片とを備えて構成され、前記他方の面板により主支持部が覆蓋されるように構成されている請求項１に記載の間仕切りパネル。
【請求項３】
主パネル体は、主支持部の第二突き当て片に突き当てられた面板の端縁部に一方側に向けて折り返された折曲片が形成される一方、各枠体のうち、左右側縁部に配される枠体には、断面コ字形のエッジ部材が設けられるものとし、エッジ部材の一対の両脚片に係止片を形成するとともに、枠体の主、副支持部の左右方向外方に係止片が外嵌係止する係止受け片を形成し、エッジ部材の係止片と、前記主パネル体の折曲片とが近接対向するように構成されている請求項２に記載の間仕切りパネル。
【発明の詳細な説明】
【技術分野】
【０００１】
本発明は、広い空間を仕切ってトイレブースを設置する場合等の構成部材となる間仕切りパネルの技術分野に属するものである。
【背景技術】
【０００２】
一般に、広い空間に複数のトイレブースを設置するような場合では、間仕切りパネルにより空間を前後左右に仕切ることにより構成したものがある。この場合に、間仕切りパネルは、従来、表裏一対の面板と、これら面板間に介装されるペーパーコア等のコア材とにより構成されるパネル体を所定の大きさに切断し、該切断部に枠体（エッジ部材）を組み込むことにより構成されている。
【０００３】
このような間仕切りパネルとしては、パネル材の切断面に対し、断面コ字形の枠体の両脚片をパネル体の表裏面板の外側から嵌着させる状態で組み込んだものが提唱されている。
【特許文献１】特開平８−３５２７２号公報
【発明の開示】
【発明が解決しようとする課題】
【０００４】
ところで、近年、ホテルやデパート等の公共施設の化粧室では、機能性を損なうことなく美しく、かつ、高級感のある化粧室が求められており、これに対応する一手段としては、空間を仕切る間仕切りパネルの意匠性を高めることが考えられる。しかるに、前記従来の間仕切りパネルでは、パネル体表面材の材質、表面加工を変えることや、枠体の形状、材質を変えること等により対応することができるが、これだけでは意匠性の向上に限界があり、ここに本発明の解決すべき課題がある。
【課題を解決するための手段】
【０００５】
本発明は、上記の如き実情に鑑みこれらの課題を解決することを目的として創作されたものであって、請求項１の発明は、空間を仕切る間仕切りパネルであって、間仕切りパネルは、表裏一対の面板を備えた主パネル体と、前記主パネル体の一方の面に沿って並設され高い意匠を備えた副パネル体と、これら各パネル体の側縁部をそれぞれ支持する主、副支持部を備えた枠体とにより構成されている間仕切りパネルである。
請求項２の発明は、主支持部は、主パネル体の板厚面に突き当てられて固定される第一突き当て片と、主パネル体の少なくとも他方の面板が他方側から突き当てられる第二突き当て片とを備えて構成され、前記他方の面板により主支持部が覆蓋されるように構成されている請求項１に記載の間仕切りパネルである。
請求項３の発明は、主パネル体は、主支持部の第二突き当て片に突き当てられた面板の端縁部に一方側に向けて折り返された折曲片が形成される一方、各枠体のうち、左右側縁部に配される枠体には、断面コ字形のエッジ部材が設けられるものとし、エッジ部材の一対の両脚片に係止片を形成するとともに、枠体の主、副支持部の左右方向外方に係止片が外嵌係止する係止受け片を形成し、エッジ部材の係止片と、前記主パネル体の折曲片とが近接対向するように構成されている請求項２に記載の間仕切りパネルである。
【発明の効果】
【０００６】
請求項１の発明とすることにより、美しく、かつ、高級感のある間仕切りパネルとすることができる。
請求項２の発明とすることにより、表裏両面において高い意匠を備えた間仕切りパネルとすることができる。
請求項３の発明とすることにより、間仕切りパネルのさらなる意匠性の向上が図れる。
【発明を実施するための最良の形態】
【０００７】
つぎに、本発明の実施の形態について、図面に基づいて説明する。
図面において、１は左右方向を向く左右側壁であり、該左右側壁１は、左側縁部から前方に向けて延出する前後側壁２とともに広い空間を構成している。そして、前記空間は、第一、第二間仕切りパネル３、４により左右方向、前後方向に仕切られて、空間の左側において複数（本実施の形態では三つ）のトイレブースＢが形成されている。ここで、前記第一間仕切りパネル３は、隣接するトイレブースＢ同士のあいだを仕切るように配設され、第二間仕切りパネル体４は、後述するように、本発明が実施されて意匠性の高いものに形成されており、空間に面する部位、即ち、外部に露出する部位に配設されている。
そして、左右側壁１に沿って配される第二間仕切りパネル４は所定間隙を存して配設されており、隣接する第二間仕切りパネル４のあいだに、トイレブースＢの出入り口部が形成されるように設定されており、該出入り口部を構成する一方の第二間仕切りパネル４の側縁部には、ピボットヒンジ５ａを介してドア体５が支持されており、これによって、ドア体５はトイレブースＢ内側において開閉揺動するように構成されている。
【０００８】
前記ドア体５は、一対の表裏面板５ｂ、５ｃ、これら表裏面板５ｂ、５ｃ間に介装されるペーパーコア５ｄとで構成されたパネル体を用いて形成され、また、第一間仕切りパネル３についても、詳細を図示することはないが、一対の表裏面板とペーパーコアとで構成されたパネル体を用いて形成されており、何れのものも従来通りのパネル体で形成されている。
一方、前記第二間仕切りパネル４は、後述するように、一対の金属製の表裏面板６、７と、これら表裏面板６、７間に介装されるペーパーコア８ａとを用いて構成される主パネル体８と、透光性に優れ、特有の高い意匠を備えたガラス材を前記主パネル体８と同形状に切断することにより構成される副パネル体９とを、表裏方向（本実施の形態では、主パネル体８の表面側に副パネル体９が配設される状態）所定の間隙を存した状態で並設し、枠体Ｆによりこれら各パネル体８、９を一体化することにより構成されている。そして、第二間仕切りパネル４は、空間側（外部）から臨んだときに、空間側に露出する副パネル体９（ガラス）を通して内側の主パネル体８（表面板６）が透けて見え、高い意匠性を備えた間仕切りパネル４となるように構成されている。
【０００９】
前記枠体Ｆは、主、副パネル体８、９の四周を囲繞する構成となっており、本実施の形態ではアルミ型材で形成される左右、上下の各枠体１０、１１、１２、１３を枠組み形成することにより構成されている。ここで、枠体Ｆのうち、左右の枠体は、第二間仕切りパネル４の配設箇所により細部が異なる形状となっているが、基本的な構成、即ち、主、副支持部が設けられる構成、主支持部に第一、第二突き当て片が形成される構成、また、主パネル体８の裏面板７により主支持部が覆蓋される構成は同様となっている。そこで、第二間仕切りパネル４の枠体Ｆの詳細な説明を、ドア体５に隣接する第二間仕切りパネル４の枠体Ｆを構成する左右、上下の各枠体１０、１１、１２、１３について、図４の図面に基づいて説明する。
【００１０】
前記左、右枠体１０、１１はそれぞれ左右対称状に形成され、左右方向外方に位置し、表裏方向を向く連結片１０ａ、１１ａと、該連結片１０ａ、１１ａの表裏両端縁部から左右方向内方（パネル体８、９側）に突出する表、裏面側突片１０ｂ、１０ｃ、１１ｂ、１１ｃとを備えて構成されている。さらに、これら左右枠体１０、１１の表面側突片１０ｂ、１１ｂの突出端縁には、本発明の副支持部１０ｄ、１１ｄがそれぞれ一体形成されている。前記副支持部１０ｄ、１１ｄは、それぞれ表面側突片１０ｂ、１１ｂの突出先端に直交状に配される溝底片１０ｅ、１１ｅと、該溝底片１０ｅ、１１ｅの表裏方向両端縁から左右方向内方に突出する一対の脚片１０ｆ、１１ｆとにより、左右方向内方が開口する断面コ字形の嵌合凹溝に形成されている。
【００１１】
また、これら左右枠体１０、１１の裏面側突片１０ｃ、１１ｃの突出端縁には、本発明の主支持部１０ｇ、１１ｇがそれぞれ一体形成されている。前記主支持部１０ｇ、１１ｇは、裏面側突片１０ｃ、１１ｃの突出先端に直交状に配される溝底片１０ｈ、１１ｈと、該溝底片１０ｈ、１１ｈの表裏方向両端縁から左右方向内方に突出する一対の脚片１０ｉ、１１ｉと、表面側の脚片１０ｉ、１１ｉの突出先端縁と前記副支持部１０ｄ、１１ｄの裏面側の脚片１０ｆ、１１ｆの先端縁とを連結するように形成される接続片１０ｊ、１１ｊとにより構成されている。そして、各接続片１０ｊ、１１ｊは、それぞれ本発明の第一突き当て片に相当し（以降、第一突き当て片１０ｊ、１１ｊとする）、裏面側の各脚片１０ｉ、１１ｉがそれぞれ本発明の第二突き当て片に相当している（以降、第二突き当て片１０ｉ、１１ｉとする）。
【００１２】
一方、上枠体１２は、表面側に位置して表裏一対の脚片１２ａと溝底片１２ｂとにより下方が開口する嵌合凹溝が副支持部１２ｃとして形成されているが、一対の脚片１２ａのうち、表面側の脚片１２ａは着脱自在に構成され、後述するように、副パネル体９の現場における枠体Ｆへの組み込みが容易にできるように構成されている。さらに、上枠体１２は、副支持部１２ａの裏面側脚片１２ａの下端縁から裏面側に延出する状態で形成される第一突き当て片１２ｄと、該第一突き当て片１２ｄの裏面側端縁から上方に延出して形成される第二突き当て片１２ｅとにより主支持部１２ｆが形成されている。
また、下枠体１３は、表面側に位置して表裏一対の脚片１３ａと溝底片１３ｂとにより上方が開口する嵌合凹溝が副支持部１３ｃとして形成されている。さらに、下枠体１３は、副支持部１３ａの裏面側脚片１３ａの上端縁から裏面側に延出する状態で形成される第一突き当て片１３ｄと、該第一突き当て片１３ｄの裏面側端縁から下方に延出して形成される第二突き当て片１３ｅとにより主支持部１３ｆが形成されている。
【００１３】
一方、主パネル体８を構成する表面板６は、予め設定される左右幅、上下幅に寸法設定された表面を構成する本体部６ａと、該本体部６ａの左右両側縁部、および、上下両側縁部から裏面板７側に向けて折曲することにより、ペーパーコア８ａを覆い、主パネル体８の板厚面を構成する板厚片６ｂが形成されている。さらに、表面板６には、左右、および、上下の板厚片６ｂの裏面側先端縁から左右、上下方向外方に向けてそれぞれ折曲する表面板第一折曲片６ｃと、該表面板第一折曲片６ｃの先端縁から表面側に向けて折り返された表面板第二折曲片６ｄとがそれぞれ形成されている。
また、主パネル体８を構成する裏面板７は、前記表面板第一折曲片６ｃの先端縁部に至る大きさに相当するよう寸法設定され裏面板本体部７ａが形成されており、該裏面板本体部７ａの外周部は、表面板第一折曲片６ｃに積層する状態となっている。さらに、裏面板７は、裏面板本体部７ａの左右両側縁部、および、上下両側縁部から表面側に向けて折曲され、表面板第二折曲片６ｄの外側に沿って積層する裏面板折曲片７ｂが形成されており、表面板第二折曲片６ｄと裏面板折曲片７ｂとが本発明の折曲片に相当している。
【００１４】
つぎに、第二間仕切りパネル４の組み込み手順について説明する。
まず、主パネル体８に、左、右枠体１０、１１を組み込むが、左、右枠体１０、１１は、主パネル体8の左右端部に表面側から挿し込むようにすることで、第二突き当て片１０ｉ、１１ｉが板厚片６ｂ、表面板第一、第二折曲片６ｃ、６ｄにより形成される凹部に収容され、そのまま第二突き当て片１０ｉ、１１ｉを押し込むことで、第一突き当て片１０ｊ、１１ｊが左右の板厚片６ｂに突き当てられ、第二突き当て片１０ｉ、１１ｉが表面板第一折曲片６ｃと裏面板本体部７ａとの積層部に突き当てられ、さらには、溝底片１０ｈ、１１ｈが表面板第二折曲片６ｄと裏面板折曲片７ｂとの積層部に沿う状態となるように設定されている。
前記組み込み状態において、連結片１０ａ、１１ａに形成された貫通孔１０ｋ、１１ｋを介して第一突き当て片１０ｊ、１１ｊと主パネル体板厚片６ｂとに螺子１４を螺合することにより、主パネル体８と左、右枠体１０、１１との一体化がなされるように設定されている。このとき、左、右枠体１０、１１の長さ（上下方向の長さ）は、主パネル体８の裏面板本体部７ａの上下長さと同寸法となるように設定されている。
【００１５】
そして、主パネル体８の上下に上、下枠体１２、１３を組み込むが、この場合では、上、下枠体１２、１３は、左、右枠体１０、１１のあいだに位置させた状態で主パネル体８の表面側から組み込まれ、第一突き当て片１２ｄ、１３ｄが板厚片６ｂに突き当てられ、第二突き当て片１２ｅ、１３ｅが表面板第一折曲片６ｃと裏面板本体部７ａとの積層部位に突き当てられ、第二突き当て片１２ｅ、１３ｅの上下の端縁部を越えて表面板第二折曲片６ｄと裏面板折曲片７ｂとが表面側に突出する状態となるように設定されている。ここで、上、下枠体１２、１３の第一突き当て片１２ｄ、１３ｄの外方の面にはそれぞれビスポケット１２ｇ、１３ｇが形成されている一方、上、下枠体１２、１３の長さ（左右方向の長さ）は、主パネル体８の表面板本体部６ａの左右長さと同寸法となるように設定されている。そして、左、右枠体１０、１１に開設された貫通孔１０ｋ、１１ｋを介して挿入される螺子１４を、上、下枠体１２、１３のビスポケット１２ｇ、１３ｇに螺入することにより、左、右枠体１０、１１と上、下枠体１２、１３との一体化がなされ、このようにして、枠体Ｆの主パネル体８への組み込みがなされるように設定されている。
【００１６】
尚、第二間仕切りパネル４は、配設箇所に応じて適宜形状に形成されたエッジ部材が左、右枠体に組み込まれるが、ドア体５に隣接する部位に配される左、右枠体１０、１１に配されるエッジ部材１５は、一対の脚片１５ａと底片１５ｂとにより断面コ字形に形成され、各脚片１５ａの先端縁に、係止片１５ｃが互いに近接する側に向けて突出形成されている。一方、左、右枠体１０、１１は、主、副支持部１０ｇ、１０ｄ、１１ｇ、１１ｄの左右方向外方に位置する連結片１０ａ、１１ａがエッジ部材１５の係止受け片に構成されている。そして、エッジ部材１５は、係止片１５ｃを、前記連結片１０ａ、１１ａの表裏方向両端部に、左右方向外方、および表裏方向外方に向けて突出形成された突部１０ｎ、１１ｎに突き当て状に外嵌することにより、左、右枠体１０、１１に抜け止め状に支持されるように設定されている。このとき、表面板第二折曲片６ｄと裏面板折曲片７ｂとは、エッジ部材１５の係止片１５ｃに対して近接対向状に配設されるように設定されている。これによって、第二間仕切りパネル４は、主、副パネル体８、９を一体化するための左、右枠体１０、１１にエッジ部材１５を設けて構成したものでありながら、左、右枠体１０、１１を主パネル体8に固定するための螺子１４とともに左、右枠体１０、１１が外部に露出することがなく、あたかも主、副パネル体８、９に直接エッジ部材１５が取り付けられているような意匠とすることができる。
【００１７】
このように構成された第二間仕切りパネル４は、トイレブースＢ側から見たとき、裏面板７の左右端部にエッジ部材１５が配設された状態となっていて、左、右枠体１０、１１の主支持部１０ｇ、１１ｇや連結片１０ａ、１１ａが裏面板７とエッジ部材１５とにより覆蓋されて見えないように構成されている。この結果、空間側からについては、ガラス製の副パネル体９が露出して高意匠にすることができるうえ、トイレブースＢ内側からについても、裏面板７の左右にエッジ部材１５が見えるだけのすっきりとした意匠とすることができ、さらには、第二間仕切りパネル４の板厚方向の面についても螺子１４が露出するようなことがなく、トイレブースＢ自体、さらには、トイレブースＢが設置された空間を、美しく、かつ、高級感のある空間とできるよう構成されている。
【００１８】
そして、第二間仕切りパネル４は、上枠体１２に連結した取り付け具１６を介して天井面に固定される一方、下枠体１３を、上下方向の長さ調整自在なアジャスタ部材１７を介して床面に固定することにより躯体に固定されるように設定されており、これによって、床面から天井部に至るあいだに空隙部が形成されることなく、第二間仕切りパネル４により覆うことができて、意匠性に一層優れるように構成されている。
ここで、本実施の形態では、副パネル体９は、ガラス材で構成されることもあって、設置現場において各第二間仕切りパネル４に組み込むようにしており、副パネル体９は、上枠体１２の表面側脚片１２ａを取り外し、左、右枠１０、１１、下枠１３に形成される嵌合凹溝で構成される副支持部１０ｄ、１１ｄ、１３ｃに対して、左右縁部、下縁部をそれぞれ緩衝材（封止材）９ａを介して組み込んだ後、上枠材１２の副支持部１２ｃに組み込み、表面側脚片１２ａを固定することにより第二間仕切りパネル４が構成されるように設定されている。
【００１９】
叙述の如く構成された本形態において、広い空間を第一、第二間仕切りパネル３、４により仕切ることで、ドア体５により開閉自在な複数のトイレブースＢが構成されるが、この場合に、第二仕切りパネル４は、一対の表裏面板６、７とペーパーコア材８ａとにより構成される主パネル体８と、高意匠であるガラス製の副パネル体９との二層構成のものを枠体Ｆにより一体化することにより構成したため、トイレブースＢが形成される空間を、美しく、かつ、高級感のある空間にすることができる。
【００２０】
しかも、本発明が実施されたものにあっては、枠体Ｆのうち、左、右枠体１０、１１は、主支持部１０ｇ、１１ｇ、１２ｆ、１３ｆの第一突き当て片１０ｊ、１１ｊ、１２ｄ、１３ｄを用いて主パネル体８に固定される一方、第二突き当て片１０ｉ、１１ｉ、１２ｅ、１３ｅは、主パネル体８の表面板第一折曲片６ｃと裏面板本体部７ａとの積層部が裏面側から突き当てられており、トイレブースＢ内から見たときに、裏面板本体部７ａにより覆われて外部に露出することがないので、トイレブースＢ内側における意匠が向上し、トイレブースＢの内側にも、美しさ、および、高級感を付与することができる。
【００２１】
さらに、このものでは、表裏面板６、７の端縁部となる表面板第二折曲片６ｄと裏面板折曲片７ｂとが表面側に折曲されていて、各面板６、７の切離し端が外部に露出することがなく、意匠性の一層の向上を図ることができる。
そのうえ、このものでは、左、右枠体１０、１１にエッジ部材１５が設けられることになるが、この場合に、表面板第二折曲片６ｄと裏面板折曲片７ｂとエッジ部材１５の係止片１５ｃとが近接対向するように設けたので、主、副パネル体８、９を一体化するための左、右枠体１０、１１にエッジ部材１５を設ける構成でありながら、左、右枠体１０、１１と主パネル体８とを固定する螺子１４とともに左右枠体１０、１１が外部に露出することがなく、あたかも主、副パネル体８、９に直接エッジ部材１５が取り付けられているような意匠とすることができて、間仕切りパネル４の側縁部における意匠が向上する。
【００２２】
尚、本発明は、前記実施の形態に限定されないことは勿論であって、図５〜８に第二の実施の形態を示す。
前記第二の実施の形態では、前記第一の実施の形態と同様にトイレブースＢ１を第一、第二間仕切りパネルを用いて構成されるが、第二の実施の形態の第二間仕切りパネル１８は、前記第一の実施の形態の間仕切りパネル４の副パネル体９としてのガラス材に変えて、縦方向を向く複数の長板体（縦桟）が一体に型成形されたアルミ型材が副パネル体１９として用いられている。そして、この場合では、主パネル体８に三方の枠材、例えば左枠体１０、上下枠体１２、１３を組み込んだ状態で、右方から副パネル体１９をスライド嵌合せしめ、最後に右枠体１１を組み込むことにより、第二間仕切りパネル１８が形成されるように設定されている。
尚、前記以外の基本構成は、前記第一の実施の形態と同様に構成されているため、図面において同様の符号を付すことにより説明を省略する。
そして、この場合でも、第二間仕切りパネル１８の主、副パネル体８、１９を枠体Ｆにより一体化してトイレブースＢ１を形成することにより、美しく、かつ、高級感のある空間を形成することができ、エッジ部材１５により左右枠体10、１１に露出する螺子１４を覆蓋することができて、さらなる意匠性の向上を図ることができる。
【００２３】
尚、高意匠の副パネル体は、前記各実施の形態の他に、例えば、二枚のガラス材（あるいは透明樹脂材）のあいだに、装飾性の高い装飾ガラスフィルムを積層したもの、彩色を施したガラス材、複数のパンチ孔の形成された金属製板材等、意匠性の高められる構成であればよい。また、主パネル体は、面板の表面処理、色、模様等、適宜変化させてもよい。そして、前記第一の実施の形態のように、副パネル体として透明なガラス材を用いた場合では、主パネル体の意匠がガラス材を通して外部に露出することになり、ガラス材の色、表面加工の変化と、主パネル体の色、表面加工の変化とを適宜組み合わせることにより、高意匠の間仕切りパネルを多種類形成することができる。
【図面の簡単な説明】
【００２４】
【図１】図１（Ａ）、（Ｂ）はそれぞれトイレブースの正面図、側面図である。
【図２】図２（Ａ）、（Ｂ）はそれぞれトイレブースの平面図、第二間仕切りパネル部位における側面断面図である。
【図３】トイレブースの一部を省略した平面断面図である。
【図４】第二間仕切りパネルの側面縦断面図である。
【図５】第二間仕切りパネルの平面断面図である。
【図６】図６（Ａ）、（Ｂ）はそれぞれ第二の実施の形態のトイレブースにおける正面図、側面図である。
【図７】第二の実施の形態のトイレブースの一部を省略した平面断面図である。
【図８】第二の実施の形態の第二間仕切りパネル部位における側面断面図である。
【図９】図９（Ａ）、（Ｂ）はそれぞれ第二の実施の形態の第二間仕切りパネルの側面断面図、平面断面図である。
【符号の説明】
【００２５】
１    左右側壁
４    第二間仕切りパネル
５    ドア体
６    表面板
６ｃ    表面板第一折曲片
６ｄ    表面板第二折曲片
７    裏面板
７ｂ    裏面板折曲片
８    主パネル体
９    副パネル体
１０    左枠体
１０ａ    連結片
１０ｄ    副支持部
１０ｇ    主支持部
１０ｊ    第一突き当て片
１０ｉ    脚片
１１    右枠体
１２    上枠体
１３    下枠体
【図１】
2008138377.tif 000003
【図２】
2008138377.tif 000004
【図３】
2008138377.tif 000005
【図４】
2008138377.tif 000006
【図５】
2008138377.tif 000007
【図６】
2008138377.tif 000008
【図７】
2008138377.tif 000009
【図８】
2008138377.tif 000010
【図９】
2008138377.tif 000011